(57)【特許請求の範囲】
【請求項１】
次の構成（ａ）〜（ｃ）を備えたカンチレバーホルダであって、
（ａ）ピン穴を有するベース
（ｂ）該ベースに固定されたカンチレバー台
（ｃ）該カンチレバー台上に置かれるカンチレバーをカンチレバー台に押え付けるための、前記ベースに固定されたカンチレバー押えバネ
該カンチレバー押えバネが、前記ピン穴を貫通したピンで押し広げられると、前記カンチレバー台のカンチレバー載置面とカンチレバー押えバネのカンチレバー押え面との間に隙間ができることを特徴とするカンチレバーホルダ。
【請求項２】
カンチレバーホルダ取付台と、該取付台に固定されたピンを備えたカンチレバー装着器であって、次の構成（ａ）〜（ｃ）を備えたカンチレバーホルダにカンチレバーを装着するときに使用され、
（ａ）ピン穴を有するベース
（ｂ）該ベースに固定されたカンチレバー台
（ｃ）該カンチレバー台上に置かれるカンチレバーをカンチレバー台に押え付けるための、前記ベースに固定されたカンチレバー押えバネ
前記ピンが前記ピン穴を貫通するように、前記カンチレバーホルダが前記カンチレバーホルダ取付台に取り付けられると、前記カンチレバー押えバネは前記ピンで押し広げられて、前記カンチレバー台のカンチレバー載置面と前記カンチレバー押えバネのカンチレバー押え面との間に所定量の隙間ができることを特徴とするカンチレバー装着器。
【発明の詳細な説明】
【０００１】
【発明の属する技術分野】
本発明は、カンチレバーが装着されるカンチレバーホルダ、およびこのホルダにカンチレバーを装着するときに使用されるカンチレバー装着器に関する。
【０００２】
【従来の技術】
原子間力顕微鏡（ＡＦＭ）は、走査トンネル顕微鏡（ＳＴＭ）では観察できない、絶縁物や細胞といった生体を観察するのに有利な手段である。
【０００３】
ＡＦＭのプローブ（探針）はカンチレバーの先端に取り付けられており、このカンチレバーはカンチレバーホルダに装着される。
【０００４】
カンチレバーホルダは、カンチレバー台と、その台上に置かれるカンチレバーをカンチレバー台に押え付けるための押えバネを有しており、カンチレバー装着者は、ピンセットまたは手で押えバネを押し広げ、別の手でピンセットを使ってカンチレバーをカンチレバー台の上に置き、そして押えバネを戻している。このようにして、カンチレバーは、押えバネでカンチレバー台に押し付けられて保持される。
【０００５】
なお、カンチレバーホルダは超高真空室に配置されるため、カンチレバーホルダが汚れないように、カンチレバー装着の作業は、手に綿手袋またはビニール手袋がはめられて行われる。
【０００６】
【発明が解決しようとする課題】
しかしながら、このような従来のやり方には以下の問題がある。
【０００７】
１．押えバネを手などで押し広げながらの作業は困難である。
【０００８】
２．押えバネを押し広げた時、押し広げたピンセットまたは手が邪魔になり、カンチレバーをカンチレバー台の上に置きづらい。
【０００９】
３．押えバネをその許容応力以上に押し広げ過ぎると、押えバネが破損することがある。
【００１０】
本発明は、このような問題を解決するカンチレバーホルダおよびカンチレバー装着を提供することを目的とする。
【００１１】
【課題を解決するための手段】
この目的を達成する本発明のカンチレバーホルダは、次の構成（ａ）〜（ｃ）を備えたカンチレバーホルダであって、
（ａ）ピン穴を有するベース
（ｂ）該ベースに固定されたカンチレバー台
（ｃ）該カンチレバー台上に置かれるカンチレバーをカンチレバー台に押え付けるための、前記ベースに固定されたカンチレバー押えバネ
該カンチレバー押えバネが、前記ピン穴を貫通したピンで押し広げられると、前記カンチレバー台のカンチレバー載置面とカンチレバー押えバネのカンチレバー押え面との間に隙間ができることを特徴とする。
【００１２】
【発明の実施の形態】
以下、図面を用いて本発明の実施の形態について説明する。
【００１３】
図１は、本発明のカンチレバー装着器の一例を示した図である。
【００１４】
図１（ａ）は、カンチレバー装着器を正面から見た図であり、図１（ｂ）は、図１（ａ）のカンチレバー装着器を上から（図１（ａ）のＡ側から矢印方向に）見た図である。このカンチレバー装着器は、図２に示すカンチレバーホルダにカンチレバーを装着するときに使用されるものである。
【００１５】
図１において、１は円盤状のカンチレバーホルダ取付台である。この台１の中央部には、細長い円柱状のピン２が溶接またはカシメで固定されている。なお、３は、円筒状の保護カバー（図示せず）を取り付けるための取付部であり、この保護カバーは、ピン２が何かに当たって曲がったりしないように、必要に応じて台１に取り付けられる。
【００１６】
図２（ａ）は、カンチレバーホルダを正面から見た図であり、図２（ｂ）は、図２（ａ）のカンチレバーホルダを上から（図２（ａ）のＢ側から矢印方向に）見た図であり、図２（ｃ）は、図２（ａ）のカンチレバーホルダーを横から（図２（ａ）のＣ側から矢印方向に）見た図である。
【００１７】
図２において、４はベースで、ベース４には、前記ピン２が貫通可能なピン穴５が開けられている。６は、ベース４に固定されたカンチレバー台であり、このカンチレバー台６は電気絶縁材で形成されている。７はカンチレバー台６のカンチレバー載置面である。
【００１８】
８は、電気伝導性を有するカンチレバー押えバネであり、図３はその斜視図である。このカンチレバー押えバネ８の取付部９は、ベース４上に固定された電気絶縁物１０と電気絶縁物１１で挟持されており、カンチレバー押えバネ８は電気絶縁物１０を介してベース４に固定されている。なお、１２はビスで、ビス１２は、電気絶縁材１１およびカンチレバー押えバネ８を貫通して電気絶縁物１０にねじ込まれている。
【００１９】
また、図２および図３において、１３はカンチレバー押えバネ８のピン当接部であり、このピン当接部１３は、図２に示すようにピン穴５の穴上に位置している。また、図２の状態においては、前記カンチレバー載置面７に対向するカンチレバー押えバネ８のカンチレバー押え面１４は、カンチレバー載置面７に当接している。
【００２０】
以上、カンチレバー装着器と、カンチレバーホルダの構成について説明したが、次に、このカンチレバー装着器を使用してカンチレバーホルダにカンチレバーを装着する場合について説明する。
【００２１】
その場合、カンチレバー装着者は、カンチレバーホルダを片手で持ち、ピン２をベース４に開いているピン穴５に通して、カンチレバー取付台１の面にカンチレバーホルダを押し当てる。
【００２２】
このカンチレバーホルダの取付台への取付により、ピン２は、カンチレバー押えバネ８のピン当接部１３を所定量押し上げる。この押し上げによる力は、カンチレバー押えバネ８の許容応力範囲内である。
【００２３】
図４は、カンチレバーホルダが取付台に取り付けられた状態を示した図である。上述したピン２のピン当接部１３の押し上げにより、カンチレバー押えバネ８は押し広げられて、カンチレバー載置面７とカンチレバー押え面１４との間に所定量の隙間ができる。この隙間は、カンチレバーをカンチレバー載置面７上に置くのに充分なスペースであり、装着者は、ピンセットでつまんだカンチレバーをその載置面７上に置く。この時、ピン２とピン穴５はころよいはめ合いとなっているので、カンチレバーホルダを手で取付台に押し当てている限り、カンチレバーホルダの無駄な動きはない。
【００２４】
そして、装着者は、図４に示すようにカンチレバー１５を載置面７上に置くと、カンチレバーホルダを引き上げて取付台から取り外す。すると、カンチレバー押えバネ８がカンチレバー１５をカンチレバー台６に押し付け、カンチレバー１５はカンチレバー台６に保持される。
【００２５】
以上、カンチレバーの装着について説明したが、このような本発明のカンチレバーホルダおよびカンチレバー装着器を使用すれば、カンチレバーホルダをカンチレバー装着器の取付台に押し当てるだけでカンチレバーをホルダにセットできる状態となり、簡単にカンチレバーをホルダにセットすることができる。また、カンチレバー押えバネの押し広げ量は、そのバネの許容応力範囲内の一定量なので、カンチレバー押えバネが従来のように破損することはない。
【図面の簡単な説明】
【図１】本発明のカンチレバー装着器の一例を示した図である。
【図２】本発明のカンチレバーホルダの一例を示した図である。
【図３】カンチレバー押えバネの斜視図である。
【図４】カンチレバーホルダがカンチレバー装着器に取り付けられた状態を示した図である。
【符号の説明】
１…カンチレバーホルダ取付台、２…ピン、３…保護カバー取付部、４…ベース、５…ピン穴、６…カンチレバー台、７…カンチレバー載置面、８…カンチレバー押えバネ、９…取付部、１０…電気絶縁物、１１…電気絶縁物、１２…ビス、１３…ピン当接部、１４…カンチレバー押え面、１５…カンチレバー
【図１】
0003592572.tif 000002
【図２】
0003592572.tif 000003
【図３】
0003592572.tif 000004
【図４】
0003592572.tif 000005